(57)【要約】【課題】汚染物の除去に人間の手をかけず、かつ清潔に使用できる簡単な構造のヘアキャッチャを提供する。【解決手段】液体流入口と液体流出口の上下を従来製品と逆に設置することでポンプ運転時に液体を本発明上部に集中させておく。ポンプを停止させると上部に集まっていた液体は重力で落下し、汚染物とともに排出される。【選択図】図１
2008229302.tif 000002
【特許請求の範囲】
【請求項１】
上端開口部に着脱可能な蓋部を装着し、側面上部と側面下部にそれぞれ液体流出口Ａと液体流入口とを本体の水平方向中心を通らない角度で備え、下端閉口部に液体流出口Ｂを接続し、内部に下端が開口状で上端が閉口状のメッシュ状粗大汚染物捕捉部を蓋部に密着しないように設置したヘアキャッチャ。
【請求項２】
上端開口部に着脱可能な蓋部を装着し、側面上部と側面下部にそれぞれ液体流出口Ａと液体流入口とを本体の水平方向中心を通らない角度で備え、側面下部の液体流入口と重ならない位置に液体流出口Ｂを接続し、内部に下端が開口状で上端が閉口状のメッシュ状粗大汚染物捕捉部を蓋部に密着しないように設置したヘアキャッチャ。
【請求項３】
上端開口部に着脱可能な蓋部を装着し、側面上部と側面下部にそれぞれ液体流出口Ａと液体流入口とを本体の水平方向中心を通らない角度で備え、下端閉口部に液体流出口Ｂを接続し、内部に上端が開口状で下端が閉口状のメッシュ状粗大汚染物捕捉部を本体内壁に密着しないように、かつ液体流入口と液体流出口Ｂの上端と同じかそれ以上の高さに設置したヘアキャッチャ。
【請求項４】
上端開口部に着脱可能な蓋部を装着し、側面上部と側面下部にそれぞれ液体流出口Ａと液体流入口とを本体の水平方向中心を通らない角度で備え、側面下部の液体流入口と重ならない位置に液体流出口Ｂを接続し、内部に上端が開口状で下端が閉口状のメッシュ状粗大汚染物捕捉部を本体内壁に密着しないように、かつ液体流入口と液体流出口Ｂの上端と同じかそれ以上の高さに設置したヘアキャッチャ。
【請求項５】
メッシュ状粗大汚染物捕捉部の上部閉口部に透明なアクリル板を備えた、請求項１乃至請求項４のヘアキャッチャ。
【請求項６】
メッシュ状粗大汚染物捕捉部の上部閉口部に透明なガラス板を備えた、請求項１乃至請求項４のヘアキャッチャ。
【請求項７】
蓋部の全部又は一部分が透明なアクリル板である、請求項１乃至請求項６のヘアキャッチャ。
【請求項８】
蓋部の全部又は一部分が透明なガラス板である、請求項１乃至請求項６のヘアキャッチャ。
【請求項９】
液体流出口Ｂに二方バルブを接続してある、請求項１乃至請求項８のヘアキャッチャ。
【請求項１０】
液体流入口に逆流防止弁を接続してある、請求項１乃至請求項９のヘアキャッチャ。
【請求項１１】
液体流入口に二方バルブを接続してある、請求項１乃至請求項９のヘアキャッチャ。
【請求項１２】
液体流入口から液体を流入させたとき、内部で渦流を起こしながら液体が上昇し、液体流出口Ａへ流出する、請求項１乃至請求項１１のヘアキャッチャ。
【請求項１３】
液体流出口Ａから液体を流入させたとき、内部で渦流を起こしながら液体が下降し、液体流出口Ｂへ流出する、請求項１乃至請求項１１のヘアキャッチャ。
【請求項１４】
ヘアキャッチャ及びポンプと濾過装置を接続する配管に消毒用薬液注入装置を接続し、通常運転時は濾過装置内を消毒し、逆洗時にはポンプとヘアキャッチャを消毒できるようにした、請求項１乃至請求項１３のヘアキャッチャを用いた配管構造。
【発明の詳細な説明】
【技術分野】
【０００１】  本発明は、循環濾過装置に付帯させ、比較的粗大な異物を除去するために用いられるヘアキャッチャに関する。
【背景技術】
【０００２】  循環式の浴槽、プール、水景設備、雨水利用等の各設備において、水中に含まれる汚染物を除去するために、循環濾過装置が用いられる。ヘアキャッチャは、循環濾過装置に付帯させ、循環ポンプを損傷させぬよう、予め人毛や葉などの比較的粗大な汚染物を除去するために用いられる。【０００３】  循環濾過を行うと、除去した汚染物がヘアキャッチャ内に溜まる。厚生労働省の指針によると、ヘアキャッチャ内の清掃は毎日行うことになっている。従来のヘアキャッチャは上端開口部に着脱可能な蓋が装着されており、清掃時に蓋を取り外し、内部に備えてある上端部が開口状のメッシュ状粗大汚染物捕捉部内に溜まった汚染物を直接除去するものであった。この構造では、人間の手が必要となるため、毎日清掃のために時間と人件費を必要とする。また、その解決手段として、濾過装置と同じ清掃方法で、液体を逆流させることで汚染物を除去する逆洗という工程を行うヘアキャッチャもあったが、複雑な配管と多数のバルブの操作を必要としていた。いずれの場合も、ヘアキャッチャ内の消毒工程が含まれていなかったため、清掃のみが行われていた。
【非特許文献１】  株式会社ショウエイ「ＨＡＩＲ  ＣＡＴＣＨ」カタログ２００５年版
【非特許文献２】  株式会社ショウエイ「逆洗浄機能付ヘアキャッチャ  秀晃」カタログ２００５年版
【発明の開示】
【発明が解決しようとする課題】
【０００４】  そこで、本発明が解決しようとする課題は、簡単な構造で人間の手をかけずに汚染物の除去と消毒を行い、衛生的かつ清潔に使用できるヘアキャッチャを提供することである。
【課題を解決するための手段】
【０００５】  以上の課題を解決するため、本発明は、液体流入口を側面下部に、液体流出口Ａを側面上部に設け、下端閉口部又は側面下部の液体流入口と重ならない位置に別途液体流出パイプを接続し、内部のメッシュ状粗大汚染物捕捉部を従来と逆の、下端が開口状で上端が閉口状になるように装備する。このとき、液体流出口Ａと液体流入口を結んでできる直線が、本体上端部から見て中心を通らないよう設ける。【０００６】  本発明の使用時は、液体流入口側に、浴槽やプールなどから水を引く配管を接続し、液体流出口Ａ側に、ポンプを設ける。ポンプは、濾過装置に接続されている。また、液体流出パイプは二方バルブに接続され、二方バルブの先は排水管に接続される。【０００７】  ポンプが運転しているとき、浴槽やプールなどにある液体が配管を通って本発明の液体流入口より流入し、液体流出口Ａよりポンプ方向へ流出する。液体流入口と液体流出口Ａの上下が従来品と逆転しているが、液体はポンプの吸引力によって流通しているため、問題はない。このとき、液体流出パイプに接続された二方バルブを閉じておく必要がある。【０００８】  液体流出口Ａと液体流入口を結んでできる直線が、本体上端部から見て中心を通らないよう設けられているため、内部で渦流を起こしながら液体が上昇する。この渦流は、ポンプが運転している限り、即ち、濾過装置が運転している限り存在しているため、捕捉された粗大汚染物が、メッシュ状粗大汚染物捕捉部に吸着することなく本発明の内部を浮遊しつづける。また、液体流出口Ａが上方にあり、ポンプによって液体が液体流出口Ａ方向へ吸引されているため、本発明内部の液体は、上方へ集中している。【０００９】  ポンプの運転を停止させると、上方へ集中していた液体が、粗大汚染物を巻き込みながら下方へと落下する。さらに、サイホン現象によりポンプ内及びヘアキャッチャと濾過装置の間にある液体も引き込まれる。このとき、液体流出パイプに接続された二方バルブを開放すると、液体とともに、液体流出口Ｂから捕捉された粗大汚染物が排出される。但し、液体流入口も開放されているので、水槽への逆流を防止するために、液体流入口側外部の配管上に、逆流防止弁又は二方バルブを設置しておく。【００１０】  段落番号０００５において、内部のメッシュ状粗大汚染物捕捉部を従来と同じく上端が開口状になるように設置した場合でも、メッシュ状粗大汚染物捕捉部を本体の内壁に密着しないように、かつ液体流入口と液体流出口Ｂの上端と同じかそれ以上の高さに設置することで、同様の効果が得られる。即ち、この場合は粗大汚染物はメッシュ状粗大汚染物捕捉部と本体内壁の間の空間に留まり、メッシュ部を通過できる液体のみがメッシュを通過し、液体流出口Ａから流出する。ポンプの運転を停止させると、段落番号０００９で述べたものと同じように上方に集まった液体が粗大汚染物を巻き込みながら下方へと落下し、液体流出口Ｂから排出される。【００１１】  入浴に供する水を濾過する場合、厚生労働省の指針によると、水が濾過装置に入る直前に塩素系薬剤を注入して消毒することになっている。これは、水だけでなく濾過装置内も消毒するためである。しかし、従来の構造では薬液注入装置よりさらに浴槽に近く設���されるポンプやヘアキャッチャ内の消毒効果はのぞめない。そこで、本発明を使用すると、段落番号０００９で述べたように、サイホン現象によりポンプ内及びヘアキャッチャと濾過装置の間にある水が本発明内に引き込まれてくるため、ポンプ停止時に、液体流出バルブに接続された二方バルブを開放すると同時に、濾過装置の直前即ちポンプと濾過装置の間に設けた薬液注入装置から適量の消毒用薬液を注入すれば、ポンプとヘアキャッチャ内の消毒も可能となる。【００１２】  入浴に供する水の消毒方法には、塩素系以外の薬剤を使用する方法や、加熱消毒、紫外線発生装置、イオン発生装置、オゾン発生装置を用いるものなど他にもあり厚生労働省も認めている部分があるが、効果の持続性が不十分であったり、機器の消毒をするには消毒能力が不十分であったりするので、本発明の消毒システムに使用するには力不足である。
【発明の効果】
【００１３】  本発明を利用すると、ヘアキャッチャ内に捕捉された粗大汚染物を除去するために人間の手を使うことがなくなり、定期的な清掃と点検のみでよく、時間と人件費の節約になって経済的である。また、粗大汚染物の除去とともに消毒が行われるので、手間をかけずに衛生的且つ清潔に使用できる。
【発明を実施するための最良の形態】
【００１４】  以下、本発明の実施形態を図面とともに説明する。図１は、本発明の外観図である。符号１のヘアキャッチャ本体に対して、符号２の液体流入口は下部に接続され、符号３の液体流出口は上部に接続されている。また、液体の流れにより符号６のメッシュ状粗大汚染物捕捉部が動かないような構造にしておく。
【実施例１】
【００１５】  図２は、本発明の内部構造を表している。本発明では、通常濾過運転時に浴槽やプールなどの水槽にある液体は、符号２の液体流入口から符号４の液体流出口Ａへ流通する。このとき、図３の、上端開口部から見た図に符号９の想像線で示されるように、符号８の想像線で表される本体の中心を通る線と中心線がずれているため、内部を流通する液体は、渦流を起こしながら上昇する。この渦流により、粗大汚染物は符号６のメッシュ状粗大汚染物捕捉部に吸着することなく、内部を浮遊しつづける。【００１６】  ポンプの運転を停止させると、符号７のヘアキャッチャ上部空間付近の液体が重力によって落下し、粗大汚染物を巻き込みながら符号４の液体流出口Ｂから排水される。
【実施例２】
【００１７】  図４及び図５は、段落番号００１５乃至段落番号００１６で述べた液体の流れと周辺の配管及び部品の接続を表している。段落番号００１５に於いて述べた通常濾過運転時の流れが図４である。水槽の液体は、符号１１のポンプによって吸引され、符号１３の逆流防止弁を通過して符号１０の本発明へと流れ、濾過タンクへつながる配管へ流出する。このとき、符号１２の排水用電動二方バルブは閉じた状態にしておく。逆洗時には符号１２の排水用電動二方バルブを開き、図５のように排水する。符号１３の逆流防止弁があるため、液体は水槽へ逆流せず排水される。ポンプを停止させることにより吸引力がなくなるため、符号１０の本発明と符号１１のポンプの間にある配管に残る液体も、サイホン現象により引き寄せられ、ともに排水される。【００１８】  逆洗時、符号２０で表される薬液注入装置から消毒用薬液を注入すると、配管内の水とともに符号１１のポンプ及び符号１０の本発明を通って排水されるため、符号１１のポンプ及び符号１０の消毒を行うことができる。従来のヘアキャッチャ及び配管構造では、水は逆洗時に符号１１のポンプ及びヘアキャッチャを通ることなく、濾過装置内を洗浄した後そのまま排水されるため、薬液を注入してもポンプやヘアキャッチャ内を薬液が通ることがなく、消毒することができない。
【実施例３】
【００１９】  図６及び図７は、液体流出口Ｂが符号１０の本発明の下端閉口部に接続されている場合の液体の流れを表している。液体流出口Ｂの位置以外に違いがないため、段落番号００１７に於いて述べたものと流れは同様である。また、逆洗時の消毒の仕組は段落番号００１８で述べたものと同じである。
【実施例４】
【００２０】  図８及び図９は、符号１４の濾過装置及び符号１５の水槽を含めた循環系統の全体図である。図８のように符号１５の水槽が符号１０の本発明より上方に置かれている場合は、段落番号００１７及び図４乃至図７にて示した仕組により効果を得ることができる。対して、図１５のように符号１５の水槽が符号１０の本発明より下方に置かれている場合は、サイホン現象が起きるため、逆流防止弁で効果が不十分であるため、逆流防止弁の代替として、符号１６の液体流入口用電動二方バルブを取り付ける。
【実施例５】
【００２１】  符号１２及び符号１６のバルブは手動であっても洗浄効果は得られるが、バルブ操作を人間の手で行う必要が生じるため、時間と人件費の削減のためには、電動バルブにしておき、自動制御を加える形態が良い。
【実施例６】
【００２２】  図１０及び図１１は、符号６のメッシュ状粗大汚染物捕捉部の図である。図１０は側面から、図１１は上端閉口部から見た図である。上端が閉口しているため、メンテナンス上取り外しやすいように符号１８の取手を備えている。【００２３】  符号６のメッシュ状粗大汚染物捕捉部は、全面をメッシュにしても本発明の効果が得られるが、捕捉した汚染物の量を確認することが困難になるため、符号１７のように、上端閉口部に窓を備えておく形態が良い。窓部は閉口しても内部が確認できるよう、透明なアクリル又はガラスの板を使用する。このとき、符号５の蓋部も同様に透明なアクリル又はガラスの板を使用すると、本発明に手を触れることなく内部の様子を確認することができる。
【実施例７】
【００２４】  図１２乃至図１４は、符号６のメッシュ状粗大汚染物捕捉部を、上端が開口になる向きで設置した実施例である。図１２は、本発明の内部構造を表す。図１３は、図１２の実施例を用いた周辺の配管及び部品の接続と、通常運転時の液体の流れを表している。図１４は、図１２の実施例を用いた周辺の配管及び部品の接続と、逆洗時の液体の流れを表している。【００２５】  図１２のように、符号６のメッシュ状粗大汚染物捕捉部を、上端が開口になる向きで設置して実施する場合は、符号６のメッシュ状粗大汚染物捕捉部を、符号１の本体の内壁と密着しないように設置する必要がある。これは、メッシュ状粗大汚染物捕捉部の側面及び下端閉口部外面で粗大汚染物を捕捉するための空間を空ける必要があるためである。また、液体の流れにより符号６のメッシュ状粗大汚染物捕捉部が動かないような構造にしておく。図１２では、符号１９で表されている。また、上端開口部側から見た液体流入口、液体流出口Ａ及び液体流出口Ｂの位置関係は、図３と同じであり、符号１４の濾過装置及び符号１５の水槽を含めた循環系統の全体図は図８及び図９と同じである。【００２６】  通常運転時の液体は図１３のように、符号１０の本発明内で渦流を起こしながら上昇し、符号１１のポンプ方向へ流出する。この流れは、符号６のメッシュ状粗大汚染物捕捉部の設置方法と粗大汚染物の捕捉方法を除けば段落番号００１７の場合と同じである。また、逆洗時の液体は図１４のように、符号１０の本発明内で渦流を起こしながら下降し、符号１２の二方弁方向へ流出する。この流れは、符号６のメッシュ状粗大汚染物捕捉部の設置方法と粗大汚染物の捕捉方法を除けば段落番号００１７の場合と同じである。また、逆洗時の消毒の仕組は段落番号００１８で述べたものと同じである。
【産業上の利用可能性】
【００２７】  本発明は、濾過装置を用いて液体を浄化する設備全般に応用できるほか、濾過設備を持たなくてもポンプを用いて液体を移動させる設備に於いて従来のヘアキャッチャと置き換えることができる。
【図面の簡単な説明】
【００２８】
【図１】図１は、本発明を側面から見た外観を表した図である。
【図２】図２は、本発明の側面から見た内部構造を表した図である。
【図３】図３は、本発明を上端開口部から見た図である。
【図４】図４は、液体流出パイプが側面下部に接続された場合の、濾過運転時の液体の流れを表した図である。
【図５】図５は、液体流出パイプが側面下部に接続された場合の、逆洗時の液体の流れを表した図である。
【図６】図６は、液体流出パイプが下端閉口部に接続された場合の、濾過運転時の液体の流れを表した図である。
【図７】図７は、液体流出パイプが下端閉口部に接続された場合の、逆洗時の液体の流れを表した図である。
【図８】図８は、浴槽やプールなどの水槽が本発明品より上方に配置されている場合の実施例である。
【図９】図９は、浴槽やプールなどの水槽が本発明品より下方に配置されている場合の実施例である。
【図１０】図１０は、本発明内部に設置する、メッシュ状粗大汚染物捕捉部を側面から見た図である。
【図１１】図１１は、本発明内部に設置する、メッシュ状粗大汚染物捕捉部を上端閉口部から見た図である。
【図１２】図１２は、本発明においてメッシュ状粗大汚染物捕捉部を上端が開口になるように設置した実施例である。
【図１３】図１３は、本発明においてメッシュ状粗大汚染物捕捉部を上端が開口になるように設置した実施例の、濾過運転時の液体の流れを表した図である。
【図１４】図１４は、本発明においてメッシュ状粗大汚染物捕捉部を上端が開口になるように設置した実施例の、逆洗時の液体の流れを表した図である。
【符号の説明】
【００２９】  １  ヘアキャッチャ本体
２  液体流入口
３  液体流出口Ａ
４  液体流出口Ｂ
５  蓋部
６  メッシュ状粗大汚染物捕捉部
７  ヘアキャッチャ上部空間
８  ヘアキャッチャの中心線
９  液体流入口と液体流出口Ａの中心を通る線
１０  本発明
１１  ポンプ
１２  排水用電動二方バルブ
１３  液体流入口用逆流防止弁
１４  濾過装置
１５  浴槽又はプールなどの水槽
１６  液体流入口用電動二方バルブ
１７  窓部
１８  取手部
１９  ヘアキャッチャ下部空間
２０  薬液注入装置
２１  液体の流れ
【図１】
2008229302.tif 000003
【図２】
2008229302.tif 000004
【図３】
2008229302.tif 000005
【図４】
2008229302.tif 000006
【図５】
2008229302.tif 000007
【図６】
2008229302.tif 000008
【図７】
2008229302.tif 000009
【図８】
2008229302.tif 000010
【図９】
2008229302.tif 000011
【図１０】
2008229302.tif 000012
【図１１】
2008229302.tif 000013
【図１２】
2008229302.tif 000014
【図１３】
2008229302.tif 000015
【図１４】
2008229302.tif 000016